(57)【要約】【課題】容易に発光体を取付可能なＬＥＤ保持部材を提供する。【解決手段】ＬＥＤ保持部材１００は、基板に対して傾斜するとともに、ＬＥＤの底面部の背面を位置決めする傾斜当接面１１２を備えた。これにより、ＬＥＤの底面部の背面をこの傾斜当接面１１２に当接させることで、ＬＥＤの傾斜角度を所定の傾斜角度に維持することができ、端子脚を基板１５０上に取り付ける際にこの端子脚に引っ張り方向のテンションが加わったとしても、ＬＥＤのＬＥＤ保持部材１００からの離脱を防止でき、容易に端子脚を基板１５０に取り付けることができる。【選択図】図１
2008066637.tif 000002
【特許請求の範囲】
【請求項１】
略板状の底面部、この底面部の一面側から突出形成されて所定波長の光を射出する発光部、および前記底面部の前記発光部が形成されない他面側に接続されるとともに、前記発光部の内部に設けられる発光素子に電力を供給する端子脚を備えた発光体を、基材上に保持する発光体保持部材であって、
前記基材に対して所定角度で傾斜するとともに、前記底面部の前記端子脚が接続される他面側が当接可能な傾斜当接面を有する本体部を備えた
ことを特徴とした発光体保持部材。
【請求項２】
請求項１に記載の発光体保持部材であって、
前記基材に対向する面に、該発光体保持部材を前記基材に固定する固定部を少なくとも１つ備えた
ことを特徴とした発光体保持部材。
【請求項３】
請求項２に記載の発光体保持部材であって、
前記傾斜当接面に略対向する位置に、前記本体部に連続して形成されるとともに、前記基材に当接可能な当接面を有する連結部を備え、
前記固定部は、前記連結部の前記当接面に設けられた
ことを特徴とした発光体保持部材。
【請求項４】
請求項１ないし請求項３のいずれかに記載の発光体保持部材であって、
前記端子脚の延出方向から前記基材に向かって湾曲する湾曲部を備えた
ことを特徴とした発光体保持部材。
【請求項５】
請求項１ないし請求項４のいずれかに記載の発光体保持部材であって、
前記端子脚は、前記底面部の前記他面側に、所定の間隔を開けて一対配置され、
前記傾斜当接面は、傾斜方向に沿って長手となる略矩形状に形成され、この長手方向に略直交する幅方向の寸法が、前記一対の端子脚の配置間隔と略同一寸法に形成された
ことを特徴とした発光体保持部材。
【請求項６】
請求項５に記載の発光体保持部材であって、
前記本体部は、前記傾斜当接面の長手方向に沿う両側縁に連続するとともに、前記傾斜当接面と略直交して互いに略平行となる側面部を備えた
ことを特徴とした発光体保持部材。
【請求項７】
請求項１ないし請求項６のいずれかに記載の発光体保持部材であって、
前記傾斜当接面の一端部に、前記発光体の底面部を係止する係止部が設けられた
ことを特徴とした発光体保持部材。
【請求項８】
請求項７に記載の発光体保持部材であって、
前記係止部は、前記傾斜当接面に対して略直交する方向に立ち上がり、前記底面部の周縁部を当接可能な立上部である
ことを特徴とした発光体保持部材。
【発明の詳細な説明】
【技術分野】
【０００１】
本発明は、光を射出する発光体を基材上に保持する発光体保持部材に関する。
【背景技術】
【０００２】
従来、ＬＥＤ（Light Emitting Diode：発光ダイオード）を半導体などの基材上に保持するＬＥＤ保持装置が知られている（例えば、特許文献１参照）。
【０００３】
この特許文献１に記載のものは、プリント基板と略平行となる上面を有し、この上面からプリント基板上に形成される接続部に向かって略垂直に延びる案内孔が設けられた本体部と、ＬＥＤの端子脚を案内孔に挿通した際にＬＥＤの発光部底面と当接する位置決め部と、ＬＥＤの端子脚を本体部の上面に沿って折り曲げた際にＬＥＤの発光部側面を係合する保持部と、を備えた保持装置である。
このような保持装置を用いたＬＥＤの保持方法では、まずプリント基板上に保持装置を固定し、本体部の案内孔からＬＥＤの端子脚を挿通してプリント基板に半田付けする。そして、ＬＥＤの発光部底面を位置決め部に当接させた後、本体部の上面にそってこの端子脚を折り曲げ、発光部側面を保持部に係合する。
【０００４】
一方、図６に示すように、予めＬＥＤ発光部の角度を所定の角度に調整した後、端子脚を半田付けなどにより固定する保持装置もある。この図６に示す保持部材９００では、ブロック９１０の一端縁をＬＥＤ１０の設置角度に応じて傾斜形成した傾斜面９１１を有している。また、この傾斜面９１１にはＬＥＤ１０の発光部１１を挿通する挿通部９１２が形成されている。さらに、ブロック９１０のプリント基板と対向する面には、保持部材９００を固定する固定ピン９１３が設けられている。
この保持部材９００では、ブロック９１０の固定ピン９１３をプリント基板に挿通させた後、接着などにより固定する。そして、挿通部９１２にＬＥＤ１０の発光部１１を挿通させ、ＬＥＤ１０の底面部１２のフランジ部１２Ａの発光部１１側の面を傾斜面９１１に当接させて接着剤などにより接着固定する。この後、ＬＥＤの端子脚１３をプリント基板に半田付けなどにより固定する。
【０００５】
【特許文献１】実開昭５７−１５９２７２号公報
【発明の開示】
【発明が解決しようとする課題】
【０００６】
ところで、上記特許文献１のような従来の保持装置では、端子脚の半田付けの後、この端子脚を折り曲げて保持部に係合させる構成であるため、ＬＥＤの発光部の角度などを調整する際に、端子脚を引き出すことができず、調整が困難であるという問題が挙げられる。特に、例えば光学式エンコーダのヘッド部などのように、ＬＥＤの設置角度を精度よく調整する必要がある場合、この問題が顕著となる。
また、図６のような従来の保持部材では、ＬＥＤ１０の底面部１２を傾斜面９１１に接着固定する必要があるため、接着剤の乾燥工程が必要となり、ＬＥＤ設置作業の作業効率が低下するという問題がある。また、底面部１２の発光部１１側のフランジ部１２Ａを傾斜面９１１に当接させて固定するため、底面部１２の背面１２Ｂ側から突出する端子脚１３をプリント基板などに半田付けする際、端子脚１３を引っ張ることでＬＥＤ１０と保持部材９００との接着が剥離するおそれがあり、ＬＥＤ１０の設置作業が困難であるという問題も挙げられる。
【０００７】
本発明は、上記のような問題に鑑みて、容易に発光体を取付可能な発光体保持部材を提供することを１つの目的とする。
【課題を解決するための手段】
【０００８】
本発明の発光体保持部材は、略板状の底面部、この底面部の一面側から突出形成されて所定波長の光を射出する発光部、および前記底面部の前記発光部が形成されない他面側に接続されるとともに、前記発光部の内部に設けられる発光素子に電力を供給する端子脚を備えた発光体を、基材上に保持する保持部材であって、前記基材に対して所定角度で傾斜するとともに、前記底面部の前記端子脚が接続される他面側が当接可能な傾斜当接面を有する本体部を備えたことを特徴とする。
この発明によれば、発光体保持部材は、基材に対して傾斜して設けられるとともに、発光体の底面部の端子脚が設けられる他面側を当接可能な傾斜当接面を有する本体部を備えている。これにより、発光体の底面部の他面側をこの傾斜当接面に当接させることで、発光体の傾斜角度を所定の傾斜角度に維持することができる。そして、この発光体保持部材を基材上に取り付けることで、発光体を所定の角度で傾斜させた状態で基材に取り付けることができる。この時、発光体の他面側を傾斜当接面に当接させるので、端子脚を基材上に取り付ける際に端子脚に引っ張り方向のテンションが加わったとしても、発光体が発光体保持部材から離脱することがない。したがって、容易に端子脚を基材に半田付けなどにより固定することができ、作業効率が向上する。
【０００９】
本発明の発光体保持部材は、前記基材に対向する面に、該発光体保持部材を前記基材に固定する固定部を少なくとも１つ備えることが好ましい。
この発明によれば、発光体保持部材は、固定部を有しているため、この固定部を基材に固定するだけで容易に発光体保持部材を基材に取り付けることができる。したがって、発光体の基材への取付作業が容易に実施できる。
【００１０】
本発明の発光体保持部材では、前記傾斜当接面に略対向する位置に、前記本体部に連続して形成されるとともに、前記基材に当接可能な当接面を有する連結部を備え、前記固定部は、前記連結部の前記当接面に設けられることが好ましい。
この発明によれば、本体部の傾斜当接面に略対向する位置に、本体部に連続して形成される連結部が設けられ、この連結部の基材との当接面に固定部が設けられている。これにより、端子脚を基材に取り付ける際に端子脚に引っ張り方向のテンションが加わったとしても、発光体保持部材の発光部側が連結部により基材に固定されているので、発光体保持部材の発光部側が基材から浮いたり剥離したりせず、良好に発光体の角度を維持した状態で基材に取り付けることが可能となる。
【００１１】
本発明の発光体保持部材では、前記端子脚の延出方向から前記基材に向かって湾曲する湾曲部を備えることが好ましい。
この発明によれば、発光体の端子脚の延出方向には、基材に向かって湾曲する湾曲部が設けられている。これにより、端子脚をこの湾曲部に沿って湾曲させて基材に導くことができる。特に、発光体の発光部を基材に向かって傾斜させて配置する場合、端子脚を基材に向かって折り曲げると、折り曲げ角度が鋭角となり、端子脚に負担が係り破損するおそれがある。これに対して、本発明のように湾曲部に沿って端子脚を湾曲させることで、端子脚の破損を防止することができる。また、湾曲部に沿って端子脚を湾曲させるだけで容易に端子脚を基材の所定位置に導くことができるので、端子脚の基材への取り付け作業も容易となる。
【００１２】
本発明の発光体保持部材では、前記端子脚は、前記底面部の前記他面側に、所定の間隔を開けて一対配置され、前記傾斜当接面は、傾斜方向に沿って長手となる略矩形状に形成され、この長手方向に略直交する幅方向の寸法が、前記一対の端子脚の配置間隔と略同一寸法に形成されることが好ましい。
【００１３】
この発明によれば、傾斜当接面が傾斜方向に沿って長手となる略矩形状に形成され、この長手方向に略直交する幅方向の寸法が、端子脚間の距離寸法と略同一寸法に形成されている。これにより、発光体の底面部の他面側を傾斜当接面に沿わして位置決めする際に、端子脚間に傾斜当接面を挟み込むことで容易に発光体の位置決めができる。また、端子脚間で傾斜当接面を挟み込むことで、発光体の位置ずれをより確実に防止できる。
【００１４】
この時、本発明の発光体保持部材は、前記本体部は、前記傾斜当接面の長手方向に沿う両側縁に連続するとともに、前記傾斜当接面と略直交して互いに略平行となる側面部を備えることが好ましい。
この発明によれば、本体部は、傾斜当接面の長手方向に沿う両側縁に連続するとともに、この傾斜当接面に略直交する側面部を有し、これらの側面部は互いに略平行間に形成されている。これにより、これらの側面部間の距離は傾斜当接面の幅寸法を略同一、すなわち端子脚間の距離寸法と略同一となる。したがって、一対の端子脚でこれらの側面部を挟み込むことができるので、発光体の位置ずれをより確実に防止することができ、より精度よく発光体の傾斜角度を所定の角度に一致させることができる。
【００１５】
本発明の発光体保持部材では、前記傾斜当接面の一端部に、前記発光体の底面部を係止する係止部が設けられることが好ましい。
この発明によれば、底面部を傾斜当接面に沿わした際に、底面部の一端部を係止部に係止させることができ、発光体を確実に傾斜当接面に位置決めすることができる。したがって、発光体が傾斜当接面の傾斜に沿って移動してしまう不都合を防止でき、より精度よく発光体の角度を調整でき、発光体の設置作業も容易に実施できる。
ここで、本発明の発光体保持部材では、前記係止部は、前記傾斜当接面に対して略直交する方向に立ち上がり、前記底面部の周縁部を当接可能な立上部であることが好ましい。
この発明によれば、係止部は傾斜当接面に対して略直交する方向」に立ち上がる立上部であるので、この立上部に発光体の底面部の周縁部を当接させることで容易に発光体の傾斜方向に対する位置決めを実施することができる。また、発光体保持部材の形状の複雑化せず、簡単な構成で発光体を位置決めすることができる。
【発明を実施するための最良の形態】
【００１６】
以下、本発明に係る一実施の形態の発光体保持部材としてのＬＥＤ保持部材を図面を参照して説明する。
【００１７】
〔ＬＥＤ保持部材の構成〕
図１は、本実施の形態のＬＥＤ保持部材の斜視図である。図２は、ＬＥＤ保持部材の平面図である。図３は、ＬＥＤ保持部材の側面図である。図４は、ＬＥＤの概略構成を示す図である。
【００１８】
図１において、１００は、ＬＥＤ保持部材であり、このＬＥＤ保持部材１００は、発光体としてのＬＥＤ（Light Emitting Diode：発光ダイオード）１０（図２ないし図４参照）を保持して、プリント基板や半導体基板などの基材としての基板１５０上に固定する部材である。
【００１９】
ここで、このＬＥＤ保持部材１００により保持されるＬＥＤ１０の構成について説明する。ＬＥＤ１０は、図４に示すように、発光部１１と、底面部１２と、一対の端子脚１３とを備えている。発光部１１は、略円筒状に形成され、内部に電力により発光する発光源が設けられている。この発光部１１の基端部には、底面部１２が固定されている。底面部１２は、発光部１１と略同軸上に設けられ、発光部１１の円筒径よりも大きい系寸法の略円板状に形成されている。また、底面部１２には、発光部１１の基端部周縁から径方向に突出するフランジ部１２Ａが設けられている。端子脚１３は、底面部１２の発光部１１が設けられる一面側とは反対側の背面１２Ｂに接続されており、底面部１２に設けられる図示しない端子孔に挿通されて発光部１１の発光源に電気的に接続されている。また、これらの端子脚１３は、底面部１２の略中心点に対して点対称となる位置に、所定距離寸法αを開けて接続されている。
【００２０】
図１に戻って、ＬＥＤ保持部材１００は、本体部１１０と、連結部としての取付ブロック１２０と、湾曲部１３０と、を備えている。これらの本体部１１０、取付ブロック１２０、および湾曲部１３０は、例えば合成樹脂などの材料により一体形成されている。
【００２１】
本体部１１０は、一対の端子脚１３の間隔寸法αと略同一厚み寸法を有する略板状のブロックである。この本体部１１０は、図１ないし図３に示すように、本体当接面１１１と、傾斜当接面１１２と、側面部１１３とを備えている。
【００２２】
本体当接面１１１は、図示しない基板に対して当接可能な略平面状に形成されている。なお、本体当接面１１１に、基板１５０にこの本体当接面１１１を固定する固定手段を設ける構成としてもよい。例えば、本体当接面１１１にピン部材を突出形成し、基板１５０にこのピン部材を係合可能な係合孔を形成し、これらのピン部材と係合孔に係合させるなどして、本体当接面１１１を基板１５０に固定する構成としてもよい。
【００２３】
傾斜当接面１１２は、本体当接面１１１に対して所定の角度で傾斜する平面であり、本体当接面１１１に連続して形成されている。この傾斜当接面１１２は、傾斜方向に長手となる略矩形状に形成されており、長手方向に対して略直交する幅方向の幅寸法は、本体部１１０の厚み寸法α、すなわちＬＥＤ１０の端子脚１３間の距離寸法αと略同一寸法に形成されている。
また、この傾斜当接面の本体当接面１１１に対する傾斜角度は、ＬＥＤ１０の基板１５０に対する傾斜角度と略同一角度に形成されている。例えばＬＥＤ１０を基板に対して３０度で傾斜させて取り付ける場合、傾斜当接面１１２の傾斜角度も本体当接面１１１に対して３０度で傾斜して形成されている。
【００２４】
また、傾斜当接面１１２の本体当接面１１１から離隔する端部には、傾斜当接面１１２に対して略直交する方向に立ち上がる立上部１１２Ａが形成されている。この立上部１１２Ａは、傾斜当接面１１２にＬＥＤ１０の背面１２Ｂを沿わした状態で、この背面１２Ｂの一端部に当接し、ＬＥＤ１０の傾斜当接面１１２の傾斜方向での位置決めを実施する。すなわち、ＬＥＤ１０の傾斜当接面１１２の傾斜方向への移動や位置ずれを防止する。
【００２５】
側面部１１３は、傾斜当接面１１２の傾斜方向に沿う両側辺に連続するとともに、傾斜当接面１１２に対して略直交して形成されている。すなわち、これらの一対の側面部１１３間の距離寸法は本体部１１０の厚み寸法、および傾斜当接面１１２の幅寸法と同一寸法であるαに形成されている。これにより、傾斜当接面１１２にＬＥＤ１０の背面１２Ｂを沿わせた際に、端子脚１３を傾斜当接面１１２の傾斜方向に沿う両側辺および側面部１１３に沿わすことが可能となる。
【００２６】
取付ブロック１２０は、傾斜当接面１１２に略対向し、本体部１１０の本体当接面１１１が設けられる一端側とは反対側の他端側に連続して形成されている。この取付ブロック１２０は、図２に示すように、上面から見た状態において、略中心位置に本体部１１０の一端部を連結して略Ｔ字状に交差して形成されている。
この取付ブロック１２０の傾斜当接面１１２と対向する面には、ＬＥＤ挿通部１２１が切欠形成されている。このＬＥＤ挿通部１２１は、傾斜当接面１１２にＬＥＤ１０の背面１２Ｂを沿わした状態で、ＬＥＤ１０の発光部１１が挿通される。
【００２７】
また、取付ブロック１２０の基板１５０と対向する取付当接面１２２は、本体部１１０の本体当接面１１１と同一平面状に形成されており、基板１５０に当接可能な略平面状に形成されている。また、この取付当接面１２２には、固定部としての固定ピン１２２Ａが基板１５０に向かって突出形成されている。この固定ピン１２２Ａは、基板１５０に形成されるピン挿通孔１５１に挿通されて固定される。
【００２８】
湾曲部１３０は、本体部１１０の側面部１１３から立ち上がって形成されている。また、湾曲部１３０は、基板１５０に対向する湾曲部対向面１３１を備えている。この湾曲部対向面１３１は、本体当接面１１１に連続するとともに、本体当接面１１１と同一平面となる平面状に形成されている。
【００２９】
この湾曲部１３０の基板１５０から離隔する上面側には、所定径寸法の円弧面１３２が形成されている。この円弧面１３２は、傾斜当接面１１２にＬＥＤ１０の背面１２Ｂを沿わせた状態において、端子脚１３の延出方向が円弧面１３２の円弧の接線方向となるように円弧中心位置が設定されている。また、湾曲部１３０の傾斜当接面１１２から離隔する側の一端面には、基板１５０に対して略直交する端子脚誘導面１３３が形成されている。そして、湾曲部１３０は、ＬＥＤ保持部材１００を基板１５０に固定した際に、端子脚誘導面１３３の延長上に、基板１５０に設けられる端子脚挿通孔１５２が配置されるように、円弧面１３２の円弧径寸法が設定されている。
【００３０】
〔ＬＥＤ保持部材を用いたＬＥＤ設置方法〕
次に、上記のようなＬＥＤ保持部材１００を用いて基板１５０のＬＥＤ１０を設置するＬＥＤ設置方法について説明する。
ＬＥＤ１０を設置する基板１５０は、固定ピン１２２Ａを挿通するピン挿通孔１５１、端子脚１３を挿通する端子脚挿通孔１５２、およびＬＥＤ１０の発光部１１を挿通する発光部挿通孔１５３を備えている。
【００３１】
このような基板１５０にＬＥＤ１０を設置するには、まずＬＥＤ保持部材１００の傾斜当接面１１２にＬＥＤ１０の底面部１２の背面１２Ｂを当接させる。この時、一対の端子脚１３にて傾斜当接面１１２の幅方向および側面部１１３を挟み込むことで、ＬＥＤ１０の傾斜当接面１１２の傾斜方向に略直交する方向への移動を規制することが可能となる。また、ＬＥＤ１０の底面部１２のフランジ部１２Ａの取付ブロック１２０側の一端縁を立上部１１２Ａに当接させることで、ＬＥＤ１０の傾斜当接面１１２の傾斜方向への移動を規制することが可能となる。
【００３２】
そして、傾斜当接面１１２と底面部１２の背面１２Ｂとを接着固定する。この時、傾斜当接面１１２と背面１２Ｂとの間に注入された接着剤を乾燥などさせる工程はなくてもよい。そして、ＬＥＤ１０の端子脚１３を湾曲部１３０の円弧面１３２に沿って湾曲させる。
【００３３】
次に、このＬＥＤ保持部材１００を基板１５０上に固定する。この時、ＬＥＤ１０の発光部１１を発光部挿通孔１５３に挿通させ、端子脚１３を端子脚挿通孔１５２に挿通させた状態で、取付ブロック１２０の固定ピン１２２Ａを基板１５０に設けられたピン挿通孔１５１に挿通させて固定ピン１２２Ａを基板１５０に接着固定する。この後、端子脚１３と基板１５０とを、例えば半田付けなどにより固定する。
【００３４】
〔ＬＥＤ保持祖部材の作用効果〕
上述したような本実施の形態のＬＥＤ保持部材１００では、基板１５０に対して所定角で傾斜するＬＥＤ１０の底面部１２の背面１２Ｂを位置決め可能な傾斜当接面１１２を備えている。
このため、ＬＥＤ１０は、底面部１２の背面１２Ｂを傾斜当接面１１２に沿わすことで、容易に基板１５０に対する角度を調整し、維持することができる。したがって、端子脚１３を基板１５０に取り付ける際に端子脚１３に引っ張り方向のテンションが加わった場合でも、ＬＥＤ１０が傾斜当接面１１２に押し付けられるため、ＬＥＤ１０の傾斜角度や位置のずれを防止できる。したがって、端子脚１３を引っ張りながら基板１５０への半田付けなどの固定作業を実施でき、作業効率を向上させることができる。
【００３５】
また、ＬＥＤ保持部材１００は、固定ピン１２２Ａにより基板１５０に固定されている。このため、ＬＥＤ１０の基板１５０に対する傾斜角度を所定の角度に維持することができる。また、ＬＥＤ保持部材１００やＬＥＤ１０の移動が規制されるため、ＬＥＤ１０の端子脚１３の固定作業もより容易に実施できる。
【００３６】
さらに、傾斜当接面１１２に略対向し、本体部１１０に連続して形成される取付ブロック１２０に固定ピン１２２Ａが設けられている。すなわち、ＬＥＤ保持部材１００の傾斜当接面１１２を挟んで端子脚１３が延出する方向と逆方向に取付ブロック１２０が設けられ、この取付ブロック１２０が固定ピン１２２Ａにより基板１５０に固定されている。このため、端子脚１３を基板１５０に取り付ける際に、端子脚１３に引っ張り方向のテンションを加えた場合でも、ＬＥＤ保持部材１００の取付ブロック１２０側が基板１５０から離隔することがない。よって、ＬＥＤ１０の傾斜角度のずれを防止でき、精度よくＬＥＤ１０を基板１５０に取り付けることができる。
【００３７】
そして、ＬＥＤ１０の端子脚１３の延出方向に円弧面１３２を有する湾曲部１３０が設けられている。このため、端子脚１３を湾曲部１３０の円弧面１３２に沿って湾曲させて基板１５０に誘導することができる。よって、端子脚１３の折り曲げによる破損などを防止でき、良好に基板１５０に端子脚１３を誘導することができる。また、湾曲部１３０の円弧面１３２に沿って端子脚を湾曲させるだけで、基板１５０の所定位置に端子脚１３を誘導できるので、端子脚１３を端子脚挿通孔１５２の位置に合わせて複雑に折り曲げる必要がなく、端子脚１３の固定作業が容易に実施できる。特に本実施の形態のように、ＬＥＤ１０の発光部１１を基板１５０側に傾斜させて設置する場合、端子脚１３の折り曲げによる過度の加重を防止でき、端子脚１３の破損を防止することができる。
【００３８】
また、傾斜当接面１１２の傾斜方向の幅寸法は、一対の端子脚１３の間寸法と略同一寸法に形成されている。このため、ＬＥＤ１０を傾斜当接面１１２に沿わせた状態で、端子脚１３でこの傾斜当接面１１２の幅方向を挟み込むことができ、ＬＥＤ１０の傾斜当接面１１２の傾斜方向に略直交する幅方向の移動を規制することができ、ＬＥＤ１０の幅方向の位置ずれを防止できる。
【００３９】
さらに、本体部１１０は、傾斜当接面１１２の幅寸法と略同一厚み寸法に形成されている。すなわち、本体部１１０の傾斜当接面１１２を挟む一対の側面部１１３は、端子脚１３の間寸法αだけ離隔した状態に形成されている。このため、一対の端子脚１３でこれらの側面部１１３を挟み込んだ状態で、これらの端子脚１３を延出させることができ、より確実にＬＥＤ１０の幅方向の位置ずれを防止することができる。また、端子脚１３を側面部１１３および湾曲部１３０の円弧面１３２の双方に沿わすことで、端子脚１３をより良好に位置決めすることができる。また、端子脚１３を湾曲させる際にも、一対の端子脚１３の間隔寸法を傾斜当接面１１２の幅寸法αに揃えて略平行となる状態で湾曲させることができる。したがって、基板１５０の一対の端子脚挿通孔１５２の間寸法が傾斜当接面１１２の幅寸法αに形成されていれば、容易にこれら一対の端子脚１３を端子脚挿通部１５２に挿通させることができ、端子脚１３の基板１５０への設置作業も容易に実施できる。
【００４０】
そして、傾斜当接面１１２の一端部には、立上部１１２Ａが形成されている。このため、この立上部１１２ＡにＬＥＤ１０の底面部１２のフランジ部１２Ａを当接させて、ＬＥＤ１０の傾斜方向の位置決めができる。したがって、ＬＥＤ１０が傾斜当接面１１２の傾斜方向の移動を規制でき、より精度よくＬＥＤ１０の角度を調整でき、ＬＥＤ１０の設置作業も容易に実施できる。また、傾斜当接面１１２に対して略直交する立上部１１２Ａを設けるだけの簡単な構成でフランジ部１２Ａを係止している。したがって、ＬＥＤ保持部材１００の構成が複雑にならず、簡単な構成で良好にＬＥＤ１０の位置決めができる。
【００４１】
また、本体部１１０、取付ブロック１２０、および湾曲部１３０は、例えば合成樹脂などにより一体形成されている。このため、ＬＥＤ保持部材１００は、射出成形などにより容易に製造することができ、製造に要するコストも低減できる。
【００４２】
〔他の実施の形態〕
なお、本発明は、上記実施形態で説明した構成に限定されるものでなく、次のような変形例も含む。
【００４３】
例えば、取付ブロック１２０の本体部１１０を挟む両端側にそれぞれ固定ピン１２２Ａを設ける構成を示したが、例えば取付ブロック１２０の本体部１１０との連結部に固定ピン１２２Ａが１つのみ設けられる構成としてもよく、さらに多くの固定ピン１２２Ａが設けられる構成としてもよい。さらには、取付ブロック１２０に限らず、本体部１１０の本体当接面１１１や、湾曲部１３０の湾曲部対向面１３１に固定ピンが設けられる構成としてもよい。この場合、例えば図５に示すような取付ブロック１２０が設けられない構成としてもよい。
すなわち、図５において、ＬＥＤ保持部材１００Ａは、本体部１１０と、湾曲部１３０と、を備えており、本体部１１０の一端側に傾斜当接面１１２が設けられ、本体部１１０の他端側に湾曲部１３０が設けられている。そして、湾曲部１３０の湾曲部対向面１３１にそれぞれ固定ピン１２２Ａが設けられ、基板１５０に設けられる図示しないピン挿通孔に固定される。
このような構成では、取付ブロック１２０が不要となるので、ＬＥＤ保持部材１００Ａの構成を簡単にできる。また、一対の湾曲部１３０のそれぞれに固定ピン１２２Ａが設けられているので、基板１５０にＬＥＤ保持部材１００Ａを固定した際に、このＬＥＤ保持部材１００Ａの回転方向の移動を規制でき、良好にＬＥＤ１０の傾斜角度を維持できる。
【００４４】
また、傾斜当接面１１２に設けられる係止部として立上部１１２Ａを例示したが、これに限定されない。例えば、傾斜当接面１１２の傾斜方向の両端側に、ＬＥＤ１０の直径方向の両端部を位置決めする例えば突起部が設ける構成としてもよく、傾斜当接面１１２に、ＬＥＤ１０の背面１２Ｂを嵌合する嵌合溝が形成されていてもよい。
【００４５】
さらに、湾曲部１３０に円弧面１３２が設けられ、円弧面１３２に沿って端子脚１３を湾曲させる構成を示したが、これに限らない。例えば湾曲部１３０に円弧面１３２が設けられず、例えば自由曲面による湾曲面が設けられ、この湾曲面に沿って端子脚１３を湾曲させる構成としてもよい。
【００４６】
また、端子脚１３の折り曲げを補佐する角部が設けられ、角部に沿って端子脚１３を鋭角に折り曲げる構成としてもよい。さらに、湾曲部１３０が設けられず、傾斜当接面１１２に位置決めされた背面１２Ｂから端子脚１３を直接基板１５０に伸ばして半田付けなどにより固定する構成としてもよい。
【００４７】
さらに、上記実施の形態では、傾斜当接面１１２の幅寸法および本体部１１０の側面部１１３間の距離が一対の端子脚１３の間寸法αと略同一寸法に形成される例を示したが、これに限らない。例えば、傾斜当接面１１２の幅寸法および本体部１１０の側面部１１３間の距離は、一対の端子脚１３間の距離寸法α以内であればよい。この場合、ＬＥＤ１０の背面１２Ｂを傾斜当接面１１２に当接させた後、接着により幅方向の移動を規制する。
【００４８】
さらには、傾斜当接面１１２に係止部として立上部１１２Ａを設ける構成をしめしたが、係止部が設けられない構成としてもよい。この場合も上記例を同様に、ＬＥＤ１０の背面１２Ｂを傾斜当接面１１２に当接させた後、接着により傾斜方向への移動を規制する。
【００４９】
そして、本体部１１０の一対の側面部１１３が傾斜当接面１１２の幅寸法と同一寸法となる間寸法で配置される例をしめしたが、これに限定されない。例えば側面部１１３が傾斜当接面１１２から離隔するに従って拡開するテーパ状に形成された構成であってもよい。
【００５０】
また、上記実施の形態では、ＬＥＤ１０を基板１５０側に向かって所定角度で傾斜させて設置する例を示したが、ＬＥＤ１０を基板１５０から離れる方向に傾斜させて設置するなどしてもよい。この場合、例えば、上記実施の形態における取付ブロック１２０の取付当接面１２２と反対側面を基板に当接可能な第二当接面とし、この第二当接面に固定ピンを設ける。そして、第二当接面を基板１５０に当接させてＬＥＤ保持部材１００を基板１５０に固定する。
【００５１】
さらに、上記実施の形態では、基材としてプリント基板などの板状の基板１５０を例示したが、例えばブロック状基材などにＬＥＤ保持装置１００を取り付けるなどしてもよい。
【００５２】
その他、本発明の実施の際の具体的な構造および手順は、本発明の目的を達成できる範囲で他の構造などに適宜変更できる。
【００５３】
［発明の効果］
本発明のＬＥＤ保持部材１００は、底面部１２の背面１２Ｂを傾斜当接面１１２にＬＥＤ１０の底面部１２の背面１２Ｂを沿わして位置決めすることで、容易に基板１５０に対する角度を調整し、維持することができ、ＬＥＤ１０の基板１５０への半田付けなどの固定作業を容易に実施でき、作業効率を向上させることができる。
【産業上の利用可能性】
【００５４】
本発明は、所定波長の光を射出する発光体を基板上に保持する発光体保持部材に利用できる。
【図面の簡単な説明】
【００５５】
【図１】本実施の形態のＬＥＤ保持部材の斜視図である。
【図２】ＬＥＤ保持部材の平面図である。
【図３】ＬＥＤ保持部材の側面図である。
【図４】ＬＥＤの概略構成を示す図である。
【図５】他の実施の形態におけるＬＥＤ保持部材の斜視図である。
【図６】従来の発光体保持装置の平面図、正面図、および側面図である。
【符号の説明】
【００５６】
１０…発光体としてのＬＥＤ
１１…発光部
１２…底面部
１３…端子脚
１００…発光体保持部材としてのＬＥＤ保持部材
１１０…本体部
１１２…傾斜当接面
１１２Ａ…係止部としての立上部
１１３…側面部
１２０…連結部としての取付ブロック
１２２…当接面としての取付当接面
１２２Ａ…固定部としての固定ピン
１３０…湾曲部
１５０…基材としての基板
【図１】
2008066637.tif 000003
【図２】
2008066637.tif 000004
【図３】
2008066637.tif 000005
【図４】
2008066637.tif 000006
【図５】
2008066637.tif 000007
【図６】
2008066637.tif 000008